【事件の表示】
　特願２０１２−５３８１６３「フラクショナル個別物理チャネルのタイムスロットフォーマット確定方法及び装置」拒絶査定不服審判事件〔平成２３年　５月１２日国際公開，ＷＯ２０１１／０５４１５７，平成２５年　３月２１日国内公表，特表２０１３−５１０５２１〕について，次のとおり審決する。
【結　論】
　本件審判の請求は，成り立たない。
【理　由】
１　手続の経緯・本願発明
　本願は，２００９年１１月９日を国際出願日とする出願であって，平成２６年１０月１６日付けで拒絶査定がされ，これに対し，平成２７年２月１９日に拒絶査定不服審判が請求され，その後，当審において平成２８年５月２０日付けで拒絶理由が通知され，同年８月２３日付けで意見書が提出され，同年１０月１２日付けで拒絶理由（以下，「当審拒絶理由」という。）が通知され，平成２９年１月１６日付けで手続補正がされたものである。
　その請求項１に係る発明（以下，「本願発明」という。）は，平成２９年１月１６日付け手続補正書により補正された特許請求の範囲の請求項１に記載された次のとおりのものと認める。
「基地局が，無線ネットワークコントローラ（RNC：Radio Network Controller）によりシグナルを介して送信された共通拡張個別チャネル（E-DCH：Enhanced Dedicated Channel）の構成情報を受信し，
　前記共通E-DCHの構成情報には，フラクショナル個別物理チャネル（F-DPCH：Fractional Dedicated Physical Control Channel）のタイムスロットフォーマットの構成情報が含まれ，又は，前記共通E-DCHの構成情報には，F-DPCHのタイムスロットフォーマットの構成情報が含まれず，
　前記基地局が，セルフォワードアクセスチャネル（CELL_FACH：CELL Forward Access Channel）状態又はアイドル（Idle）モードにあるユーザ装置（UE：User Equipment）が，E-DCHを使用していることを検出する場合，
　前記基地局が，F-DPCHの０番目のタイムスロットフォーマットを，F-DPCHを介して情報を送信するためのフォーマットとして使用する
　フラクショナル個別物理チャネルのタイムスロットフォーマット確定方法。」
２　引用発明等
　当審拒絶理由に引用された ETSI TS125 433 V8.6.0(2009-10)（3rd Generation Partnership Project;Technical Specification Group Radio Access Network;UTRAN Iub interface Node B Application Part (NBAP) signalling（［当審仮訳］：第３世代パートナーシッププロジェクト；技術仕様グループ無線アクセスネットワーク；ＵＴＲＡＮ　Ｉｕｂインタフェース　ノードＢアプリケーション部分（ＮＢＡＰ）シグナリング），２００９年１０月，（以下，「引用例」という。）には，図面とともに以下の事項が記載されている。（［当審注］：なお，ETSIの「ETSI TS125 433 V8.6.0(2009-10)」が3GPPの「3GPP TS25 433 V8.6.0(2009-10)」と同内容であることは技術常識である。）
（１）「8.2.18　Physical Shared Channel Reconfiguration
8.2.18.1　General
　This procedure is used to assign HS-DSCH related resources to the Node B.
（中略）
　This procedure is also used to assign E-DCH related resources to the Node B.
8.2.18.2　Successful Operation
　
　The procedure is initiated with a PHYSICAL SHARED CHANNEL RECONFIGURATION REQUEST message sent from the CRNC to the Node B using the Node B Control Port.
　Upon reception, the Node B shall activate the new configuration at the head boundary of the SFN according to the parameters given in the message.
　If the PHYSICAL SHARED CHANNEL RECONFIGURATION REQUEST message includes an SFN IE, the Node B shall activate the new configuration at the head boundary of that specified SFN. If no SFN IE is included Node B shall activate the new configuration immediately.
（中略）
[FDD − Common E-DCH Operation]:
[FDD - If the PHYSICAL SHARED CHANNEL RECONFIGURATION REQUEST message includes the Common E-DCH System Information IE, then the Node B shall: 
（中略）
　−If the Common E-DCH F-DPCH Information IE is included, then the Node B shall apply the parameters to the common E-DCH in new configuration.」（１０３，１１２，１１３ページ）
（［当審仮訳］：
８．２．１８　物理共有チャネル再構成
８．２．１８．１　一般
　この手続は，ノードＢにＨＳ−ＤＳＣＨ関連のリソースを割り当てるのに使用される。
（中略）
　この手続は，ノードＢにＥ−ＤＣＨ関連のリソースを割り当てるのにも使用される。
８．２．１８．２　成功した操作
（図２６は省略。）
　この手続は，ノードＢ制御ポートを使用してＣＲＮＣからノードＢに送られた物理共有チャネル再構成要求メッセージにより開始される。
　受信すると，ノードＢは，メッセージで与えられたパラメータに従ってＳＦＮ（［当審注］：「ＳＦＮ」は，「システムフレーム番号」。）の頭の境界において新たな構成を活性化する。
　物理共有チャネル再構成要求メッセージがＳＦＮ　ＩＤを含んでいると，ノードＢはその特定されたＳＦＮの頭の境界において新たな構成を活性化する。ＳＦＮ　ＩＤが含まれていないと，ノードＢは直ちに新たな構成を活性化する。
（中略）
［ＦＤＤ−　共通Ｅ−ＤＣＨ操作］
［ＦＤＤ−　物理共有チャネル再構成要求メッセージが共通Ｅ−ＤＣＨシステム情報ＩＥ（［当審注］：「ＩＥ」は，「情報エレメント」。）を含んでいると，ノードＢは：
（中略）
　−　共通Ｅ−ＤＣＨ　Ｆ−ＤＰＣＨ情報ＩＥが含まれていると，ノードＢは新たな構成においてＥ−ＤＣＨにそのパラメータを適用する。）
（２）「9.2.2.93　F-DPCH Slot Format 
　The F-DPCH Slot Format IE defines the F-DPCH slot format for the TPC bits, as defined in [7].
　
（中略）
9.2.2.103　Common E-DCH System Information
　The Common E-DCH System Information IE provides information for E-DCH configured for UE in Cell_FACH and Idle state.」（５７３，５７５ページ）
（［当審仮訳］：
９．２．２．９３　Ｆ−ＤＰＣＨスロットフォーマット
　Ｆ−ＤＰＣＨスロットフォーマットＩＥは，[7]（［当審注］：巻頭の参考文献一覧によれば，「[7]」は「3GPP TS25.211」を意味する。）で定義されたように，ＴＰＣビットのためのＦ−ＤＰＣＨスロットフォーマットを定義する。
（表は省略。）
（中略）
９．２．２．１０３　共通Ｅ−ＤＣＨシステム情報
　共通Ｅ−ＤＣＨシステム情報ＩＥは，ＣＥＬＬ＿ＦＡＣＨ状態及びアイドルモードのＵＥのために構成されたＥ−ＤＣＨ用の情報を提供する。）
　上記（１）の記載及び図面並びに当業者の技術常識を考慮すると，ノードＢは，ＩｕｂインタフェースによりＣＲＮＣから送信された，共通Ｅ−ＤＣＨシステム情報ＩＥを含む物理共有チャネル再構成要求メッセージを受信すると，当該メッセージで与えられたパラメータに従って物理共有チャネルを新たに構成するところ，「共通Ｅ−ＤＣＨ　Ｆ−ＤＰＣＨ情報ＩＥが含まれていると，」との条件の記載から明らかなように，物理共有チャネル再構成要求メッセージには，共通Ｅ−ＤＣＨシステム情報ＩＥとして共通Ｅ−ＤＣＨ　Ｆ−ＤＰＣＨ情報ＩＥが含まれている場合と，そうでない場合とがあることが見てとれる。
　そして，上記（２）の記載及び図面並びに当業者の技術常識を考慮すると，共通Ｅ−ＤＣＨシステム情報ＩＥは，ＣＥＬＬ＿ＦＡＣＨ状態及びアイドルモードのＵＥのために構成されたＥ−ＤＣＨ用の情報を提供するものであり，Ｆ−ＤＰＣＨに関する情報であるＦ−ＤＰＣＨスロットフォーマットＩＥは，3GPP TS25.211で定義されたＴＰＣビットのためのＦ−ＤＰＣＨスロットフォーマット（０〜９）のいずれであるかを示すものであることが見てとれる。
　したがって，引用例には以下の発明（以下，「引用発明」という。）が記載されていると認める。
「ノードＢが，ＣＲＮＣにより送信された共通Ｅ−ＤＣＨシステム情報ＩＥを含むメッセージを受信し，
　前記メッセージには，共通Ｅ−ＤＣＨシステム情報ＩＥとしてＦ−ＤＰＣＨのタイムスロットフォーマットを示すＦ−ＤＰＣＨ情報ＩＥが含まれ，又は，前記メッセージには，共通Ｅ−ＤＣＨシステム情報ＩＥとしてＦ−ＤＰＣＨのタイムスロットフォーマットを示すＦ−ＤＰＣＨ情報ＩＥが含まれず，
　ノードＢは，メッセージで与えられたパラメータに従って物理共有チャネルを新たに構成する，方法。」
　同じく当審拒絶理由に引用された 3GPP TS25.211 V7.8.0(2009-09)（3rd Generation Partnership Project;Technical Specification Group Radio Access Network;Physical channels and mapping of transport channels onto physical channels (FDD)（［当審仮訳］：第３世代パートナーシッププロジェクト；技術仕様グループ無線アクセスネットワーク；物理チャネル及び物理チャネルへのトランスポートチャネルのマッピング（ＦＤＤ）），２００９年９月（以下，「周知例１」という。）には，図面とともに以下の事項が記載されている。
（３）「5.2　Uplink physical channels
5.2.1　Dedicated uplink physical channels
　There are five types of uplink dedicated physical channels, the uplink Dedicated Physical Data Channel (uplink DPDCH), the uplink Dedicated Physical Control Channel (uplink DPCCH), the uplink E-DCH Dedicated Physical Data Channel (uplink E-DPDCH), the uplink E-DCH Dedicated Physical Control Channel (uplink E-DPCCH) and the uplink Dedicated Control Channel associated with HS-DSCH transmission (uplink HS-DPCCH).
（中略）
5.2.1.3　E-DPCCH and E-DPDCH
　The E-DPDCH is used to carry the E-DCH transport channel. There may be zero, one, or several E-DPDCH on each radio link.
　The E-DPCCH is a physical channel used to transmit control information associated with the E-DCH. There is at most one E-DPCCH on each radio link. 
（中略）
5.3.2.6　Fractional Dedicated Physical Channel (F-DPCH)
　The F-DPCH carries control information generated at layer 1 (TPC commands). It is a special case of downlink DPCCH.
　Figure 12B shows the frame structure of the F-DPCH. Each frame of length 10ms is split into 15 slots, each of length Tslot = 2560 chips, corresponding to one power-control period.
　
　The exact number of bits of the OFF periods and of the F-DPCH fields (NTPC) is described in table 16C. Each slot format corresponds to a different set of OFF periods within the F-DPCH slot.
　
　In compressed frames, F-DPCH is not transmitted in downlink transmission gaps given by transmission gap pattern sequences signalled by higher layers.
　The relationship between the TPC symbol and the transmitter power control command is according to table 13.」（１３，２８〜２９ページ）
（［当審仮訳］：
５．２　アップリンク物理チャネル
５．２．１　個別アップリンク物理チャネル
　５つのタイプのアップリンク個別物理チャネルがあり，アップリンク個別物理データチャネル（アップリンクＤＰＤＣＨ），アップリンク個別物理制御チャネル（アップリンクＤＰＣＣＨ），アップリンクＥ−ＤＣＨ個別物理データチャネル（アップリンクＥ−ＤＰＤＣＨ），アップリンクＥ−ＤＣＨ個別物理制御チャネル（アップリンクＥ−ＤＰＣＣＨ）及びＨＳ−ＤＳＣＨ送信に係るアップリンク個別制御チャネル（アップリンクＨＳ−ＤＰＣＣＨ）である。
（中略）
５．２．１．３　Ｅ−ＤＰＣＣＨ及びＥ−ＤＰＤＣＨ
　Ｅ−ＤＰＤＣＨは，Ｅ−ＤＣＨトランスポートチャネルを搬送するのに使用される。各無線リンクには，０，１つ又はいくつかのＥ−ＤＰＤＣＨがある。
　Ｅ−ＤＰＣＣＨは，Ｅ−ＤＣＨに係る制御情報を送信するのに使用される物理チャネルである。各無線リンクにはせいぜい１つのＥ−ＤＰＣＣＨがある。
（中略）
５．３．２．６　フラクショナル個別物理チャネル（Ｆ−ＤＰＣＨ）
　Ｆ−ＤＰＣＨは，レイヤ１で生成された制御情報（ＴＰＣコマンド）を搬送する。それはダウンリンクＤＰＣＣＨの特別なケースである。
　図１２Ｂは，Ｆ−ＤＰＣＨのフレーム構造を示す。長さ１０ｍｓの各フレームは，各々１電力制御期間に相当する長さＴＳｌｏｔ＝２５６０チップの１５個のスロットに分割される。
（図１２Ｂは省略。）
　オフ期間及びＦ−ＤＰＣＨフィールド（ＮＴＰＣ）の正確なビット数は表１６Ｃに記述される。各スロットフォーマットは，Ｆ−ＤＰＣＨスロット内の異なるオフ期間のセットに対応する。
（表１６Ｃは省略。）
　圧縮されたフレームにおいては，Ｆ−ＤＰＣＨは，高位レイヤによりシグナリングされた送信ギャップパターンシーケンスにより与えられるダウンリンク送信ギャップでは送信されない。
　ＴＰＣシンボルと送信機電力制御コマンドとの間の関係は，表１３に従う。）
　同じく当審拒絶理由に引用された InterDigital，Clarification of F-DPCH slot format for E-DCH in CELL_FACH（［当審仮訳］：ＣＥＬＬ＿ＦＡＣＨにおけるＥ−ＤＣＨのためのＦ−ＤＰＣＨスロットフォーマットの明瞭化），3GPP TSG-RAN WG2 Meeting#65 R2-091402，インターネット＜URL:http://www.3gpp.org/ftp/tsg_ran/wg2_rl2/TSGR2_65/Docs/R2-091402zip，２００９年２月３日（以下，「周知例２」という。）には，図面とともに以下の事項が記載されている。
（４）「CHANGE REQUEST
　25.331　CRxxxx　rev　Current version:8.5.0
（中略）
Reason for change：The F-DPCH slot format to use for E-DCH in CELL_FACH state and Idle mode is unspecified. 
Summary of change：It is specified that F-DPCH slot format 0 (corresponding to the Release 6 slot format) should be used.
（中略）
8.5.45　Enhanced Uplink in CELL_FACH state and Idle mode (FDD only)
　For this version of the specification, when a UE selects a cell, the uplink frequency to be used for the PRACH preamble (physical signal) and DPCCH/E-DPCCH/E-DPDCH transmission shall have a default duplex frequency spacing offset from the downlink frequency that the cell was selected on. The default duplex frequency separation to be used by the UE is specified in [21] for each frequency band.
（中略）
　If variable READY_FOR_COMMON_EDCH is set to TRUE, then after selection of a common E-DCH resource configuration, the RRC in the UE shall configure MAC and the physical layer for E-DCH and HSDPA transmission, and the UE shall:
（中略）
　1 configure F-DPCH in accordance with the F-DPCH slot format #0 [26]; 」（１，２葉）
（［当審仮訳］：
変更要求
　２５．３１１　ＣＲｘｘｘｘ　ｒｅｖ　現在のバージョン８．５．０
（中略）
変更の理由：ＣＥＬＬ＿ＦＡＣＨ状態及びアイドルモードにおけるＥ−ＤＣＨのために使用されるＦ−ＤＰＣＨスロットフォーマットは特定されていない。
変更の要約：Ｆ−ＤＰＣＨスロットフォーマット０（リリース６のスロットフォーマットに相当する）が特定される。
（中略）
８．５．４５　ＣＥＬＬ＿ＦＡＣＨ状態及びアイドルモードにおける拡張アップリンク（ＦＤＤのみ）
　このバージョンの仕様では，ＵＥがセルを選択するとき，ＰＲＡＣＨプリアンブル（物理信号）及びＤＰＣＣＨ／Ｅ−ＤＰＣＣＨ／Ｅ−ＤＰＤＣＨ送信のために使用されるアップリンク周波数は，セルが選択したダウンリンク周波数からのデフォルトの複信周波数間隔オフセットを有するべきである。
（中略）
　変数ＲＥＡＤＹ＿ＦＯＲ＿ＣＯＭＭＯＮ＿ＥＤＣＨがＴＲＵＥに設定されると，共通Ｅ−ＤＣＨリソース構成が選択された後，ＵＥのＲＲＣは，Ｅ−ＤＣＨ及びＨＳＤＰＡ送信のためのＭＡＣ層及び物理層を構成し，ＵＥは，：
（中略）
　１＞　Ｆ−ＤＰＣＨスロットフォーマット＃０[26]に従ってＦ−ＤＰＣＨを構成する。（［当審注］：本提案は3GPP TS25.331についての変更の提案であるところ，3GPP TS25.331の巻頭の参考文献一覧によれば，「[26]」は「3GPP TS25.211」を意味する。））
　同じく当審拒絶理由に引用された Nokia Corporation, Nokia Siemens Networks，Clarification to the use of F-DPCH slot format IE（［当審仮訳］：「Ｆ−ＤＰＣＨスロットフォーマット」ＩＥの使用の明瞭化），3GPP TSG-RAN WG2 Meeting#63bis R2-086883，インターネット＜URL:http://www.3gpp.org/ftp/tsg_ran/wg2_rl2/TSGR2_64/Docs/R2-086883zip，２００８年１１月１６日（以下，「周知例３」という。）には，図面とともに以下の事項が記載されている。
（５）「CHANGE REQUEST
　25.331　CR　3478　rev Current version:8.4.0
（中略）
Reason for change：The current specification is ambiguous as to which slot format should be applied for F-DPCH after a reconfiguration, when the IE is not present. The convention in the specification is that UE should continue with the previously configured value if the IE is not present, however in order that the behaviour of a UE supporting enhanced F-DPCH is consistent for initial setup and reconfiguration it should be clarified that “not present” always means to apply the rel-6 F-DPCH slot format ( slot format # 0 ) the same as a UE not supporting enhanced F-DPCH would need to do. 
Summary of change:：UE behaviour is clarified in order that when the IE is not present, UE applies slot format #0 ( same slot format which would be applied by a UE not supporting enhanced F-DPCH )
（中略）
10.3.6.23ob　Downlink F-DPCH info for each RL
　　NOTE：For FDD only.
（中略）
」（１，２葉）
（［当審仮訳］：
変更要求
　２５．３１１　ＣＲ３４７８　ｒｅｖ　現在のバージョン８．４．０
（中略）
変更の理由：現在の仕様では，ＩＥ（情報エレメント）が存在しない場合，再構成後のＦ−ＤＰＣＨにどのスロットフォーマットを適用すべきかが曖昧であった。仕様における慣例では，ＩＥが存在しない場合はＵＥは以前に構成した値を継続すべきであるが，拡張Ｆ−ＤＰＣＨをサポートするＵＥの挙動が初期設定及び再構成で一貫しているためには，拡張Ｆ−ＤＰＣＨをサポートしないＵＥがそうする必要があるのと同様に，「存在しない」は常にＲｅｌ−６のＦ−ＤＰＣＨスロットフォーマット（スロットフォーマット＃０）が適用されることを意味することが明確化されるべきである。
変更の要約：ＩＥが存在しない場合にＵＥがスロットフォーマット＃０（拡張Ｆ−ＤＰＣＨをサポートしていないＵＥにより適用されるスロットフォーマットと同じ）を適用するとのＵＥの動作が明確にされた。
（中略）
１０．３．６．２３ｏｂ　各ＲＬ（無線リンク）のためのダウンリンクＦ−ＤＰＣＨ情報
　　注：ＦＤＤのみ
（表は省略。）　）
　同じく当審拒絶理由に引用された 3GPP TS25.331 V8.6.0(2009-03)（［当審注］：当審拒絶理由では「(2008-12)」とされていたが，「２００９年３月」と記載しているように，これは「(2009-03)」の誤記である。）（3rd Generation Partnership Project;Technical Specification Group Radio Access Network;Radio Resource Control (RRC);Protocol Specification（［当審仮訳］：第３世代パートナーシッププロジェクト；技術仕様グループ無線アクセスネットワーク；無線リソース制御（ＲＲＣ）プロトコル仕様），２００９年３月（以下，「周知例４」という。）には，図面とともに以下の事項が記載されている。
（６）「3　Definitions and abbreviations
3.1　Definitions
（中略）
Common E-DCH resource: In FDD, common E-DCH resources are under direct control of the Node B and are shared by UEs in CELL_FACH state and IDLE mode. 
（中略）
8.5.45　Enhanced Uplink in CELL_FACH state and Idle mode (FDD only)
　For this version of the specification, when a UE selects a cell, the uplink frequency to be used for the PRACH preamble (physical signal) and DPCCH/E-DPCCH/E-DPDCH transmission shall have a default duplex frequency spacing offset from the downlink frequency that the cell was selected on. The default duplex frequency separation to be used by the UE is specified in [21] for each frequency band.
（中略）
　If variable READY_FOR_COMMON_EDCH is set to TRUE, then after selection of a common E-DCH resource configuration, the RRC in the UE shall configure MAC and the physical layer for E-DCH and HSDPA transmission, and the UE shall:
（中略）
　1 configure F-DPCH in accordance with the F-DPCH slot format #0 [26]; 
（中略）
10.3.6.23ob　Downlink F-DPCH info for each RL
　　NOTE：For FDD only.
（中略）
」（３９，３４０〜３４１，７５２〜７５３ページ）
（［当審仮訳］：
３　定義及び略語
３．１　定義
（中略）
共通Ｅ−ＤＣＨリソース：ＦＤＤでは，共通Ｅ−ＤＣＨリソースはノードＢの制御下にあり，ＣＥＬＬ＿ＦＡＣＨ状態及びアイドルモードのＵＥにより共有される。
（中略）
８．５．４５　ＣＥＬＬ＿ＦＡＣＨ状態及びアイドルモードにおける拡張アップリンク（ＦＤＤのみ）
　このバージョンの仕様では，ＵＥがセルを選択するとき，ＰＲＡＣＨプリアンブル（物理信号）及びＤＰＣＣＨ／Ｅ−ＤＰＣＣＨ／Ｅ−ＤＰＤＨ送信のために使用されるアップリンク周波数は，セルが選択したダウンリンク周波数からのデフォルトの複信周波数間隔オフセットを有するべきである。
（中略）
　変数ＲＥＡＤＹ＿ＦＯＲ＿ＣＯＭＭＯＮ＿ＥＤＣＨがＴＲＵＥに設定されると，共通Ｅ−ＤＣＨリソース構成が選択された後，ＵＥのＲＲＣは，Ｅ−ＤＣＨ及びＨＳＤＰＡ送信のためのＭＡＣ層及び物理層を構成し，ＵＥは，：
（中略）
　１＞　Ｆ−ＤＰＣＨスロットフォーマット＃０[26]に従ってＦ−ＤＰＣＨを構成する。；（［当審注］：巻頭の参考文献一覧によれば，「[26]」は「3GPP TS25.211」を意味する。）
（中略）
１０．３．６．２３ｏｂ　各ＲＬ（無線リンク）のためのダウンリンクＦ−ＤＰＣＨ情報
　　注：ＦＤＤのみ
（表は省略。）　）
　技術仕様に記載された技術事項は当業者に周知であるところ，周知例１は３ＧＰＰの技術仕様であり，上記（３）の「５．２」〜「５．２．１．３」の記載によれば，「アップリンクトランスポートチャネルとしてＥ−ＤＣＨを使用すること。」は，周知の技術事項（以下，「周知技術１」という。）である。
　また，上記（３）の「５．３．２．６」，（４），（６）の「８．５．４５」の記載によれば，「Ｆ−ＤＰＣＨスロットフォーマットには3GPP TS25.211にて標準化されているＦ−ＤＰＣＨスロットフォーマット＃０〜＃９が存在するところ，２００９年２月に，ＵＥはＣＥＬＬ＿ＦＡＣＨ状態及びアイドルモードではＦ−ＤＰＣＨスロットフォーマット＃０に従ってＦ−ＤＰＣＨを構成するようにすることが提案され，技術仕様（3GPP TS25.331）にて標準化された。」（以下，「周知事項２」という。）ことが見てとれる。
　また，上記（５），（６）の「１０．３．６．２３ｏｂ」の記載によれば，「Ｆ−ＤＰＣＨ情報の情報エレメントが存在しない場合は，ＵＥはスロットフォーマット＃０を適用することが提案され，技術仕様（3GPP TS25.331）にて標準化された。」（以下，「周知事項３」という。）ことが見てとれる。
　また，技術仕様に記載された技術事項は当業者に周知であるところ，周知例４は３ＧＰＰの技術仕様であり，上記（６）の「３．１」の記載によれば，「ＦＤＤでは，共通Ｅ−ＤＣＨリソースはノードＢの制御下にあり，ＣＥＬＬ＿ＦＡＣＨ状態及びアイドルモードのＵＥにより共有される。」ことは周知の技術事項（以下，「周知事項４」という。）である。
　本願の国際出願日前に公開された国際公開第２００９／０５８７６４号（以下，「周知例５」という。）には，以下の事項が記載されている。
（７）「[0006] Figure 1 shows radio resource control (RRC) service states of a 3GPP WTRU with an enhanced uplink (UL). The WTRU may operate in several states depending on the user activity. The following states have been defined: IDLE, cell dedicated channel (CELL_DCH), cell forward access channel (CELL-FACH), universal mobile telecommunications system (UMTS) terrestrial radio access network (UTRAN) registration area paging channel (URA_PCH), and cell paging channel (CELL_PCH). RRC state transitions are controlled by the network using radio network controller (RNC) parameters, in general the WTRU does not decide to perform state changes by itself.」（１ページ）
（［当審仮訳］：
[0006]　図１は，拡張アップリンク（ＵＬ）を有する３ＧＰＰ  ＷＴＲＵの無線リソース制御（ＲＲＣ）サービス状態を示す。ＷＴＲＵは，ユーザ活動に応じて，いくつかの状態で動作することができる。以下の状態，すなわちアイドル，セル専用チャネル（ＣＥＬＬ＿ＤＣＨ），セル転送アクセスチャネル（ＣＥＬＬ＿ＦＡＣＨ），ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）地上波無線アクセスネットワーク（ＵＴＲＡＮ）登録エリアページングチャネル（ＵＲＡ＿ＰＣＨ），およびセルページングチャネル（ＣＥＬＬ＿ＰＣＨ）が規定されている。ＲＲＣ状態遷移は，無線ネットワークコントローラ（ＲＮＣ）パラメータを使用してネットワークによって制御されており，ＷＴＲＵは，それ自体によって状態変更を実施しようとすることはない。）
　本願の国際出願日前に公開された国際公開第２００９／０８８８６８号（以下，「周知例６」という。）には，以下の事項が記載されている。
（８）「[0005] Figure 1 shows radio resource control (RRC) service states 100 of a Third Generation Partnership Project (3GPP) wireless transmit/receive unit (WTRU) with an enhanced uplink (UL) in a Universal Mobile Telecommunications System (UMTS). The WTRU may operate in several states depending on user activity. The following states have been defined for UMTS Terrestrial Radio Access (UTRA) radio resource control (RRC) connected mode: IDLE 110, CELL_DCH 120, CELL_FACH 130, URA_PCH 140, and CELL_PCH 150. Other states that the WTRU may transition to include a general packet radio service (GPRS) packet transfer mode 160, or a global system for mobile communications (GSM) connected mode 170. RRC state transitions are controlled by the network using radio network controller (RNC) parameters. In general the WTRU does not decide to perform state transitions by itself. 
[0006] Based on WTRU mobility and activity while in UTRA RRC connected mode (i.e., in the CELL_DCH, CELL_FACH, URA_PCH or CELL_PCH state), the UMTS Terrestrial Radio Access Network (UTRAN) may direct the WTRU to transition between the states CELL_PCH, URA_PCH, CELL_FACH, and CELL_DCH.」（１ページ）
（［当審仮訳］：
[0005]　図１に，ＵＭＴＳ（Universal mobile Telecommunications System）内のエンハンスト・アップリンク（ＵＬ：enhanced uplink）と共に３ＧＰＰ（Third Generation Partnership Project）ＷＴＲＵ（wireless transmit/receive unit）のＲＲＣ（radio resource control）サービス状態１００を示す。ＷＴＲＵは，ユーザアクティビティに応じて複数の状態で動作することができる。次の状態が，ＵＴＲＡ（UMTS Terrestrial Radio Access）  ＲＲＣ（radio resource control）接続モードについて定義されている：ＩＤＬＥ  １１０，ＣＥＬＬ＿ＤＣＨ  １２０，ＣＥＬＬ＿ＦＡＣＨ  １３０，ＵＲＡ＿ＰＣＨ  １４０およびＣＥＬＬ＿ＰＣＨ  １５０。ＷＴＲＵが遷移できる他の状態は，ＧＰＲＳ（general packet radio service）パケット転送モード１６０またはＧＳＭ（global system for mobile communications）接続モード１７０を含む。ＲＲＣ状態遷移は，ＲＮＣ（radio network controller）パラメータを使用して，ネットワークによって制御される。一般に，ＷＴＲＵは，単独で状態遷移を実行することを判断しない。
[0006]　ＵＴＲＡ  ＲＲＣ接続モード（すなわち，ＣＥＬＬ＿ＤＣＨ状態，ＣＥＬＬ＿ＦＡＣＨ状態，ＵＲＡ＿ＰＣＨ状態，またはＣＥＬＬ＿ＰＣＨ状態）にある間のＷＴＲＵモビリティおよびアクティビティに基づいて，ＵＴＲＡＮ（UMTS Terrestrial Radio Access Network）は，ＷＴＲＵに，ＣＥＬＬ＿ＰＣＨ状態，ＵＲＡ＿ＰＣＨ状態，ＣＥＬＬ＿ＦＡＣＨ状態，およびＣＥＬＬ＿ＤＣＨ状態の間で遷移するように指示することができる。）
　本願の国際出願日前に公開された国際公開第２００９／０６２３０３号（以下，「周知例７」という。）には，以下の事項が記載されている。
（９）「[0035] From CELL-FACH state 124, if data inactivity is detected for predetermined time in some networks, the UTRAN can move the RRC state from CELL-FACH state 124 to a paging channel (PCH) state This can be either the CELL-PCH state 126 or URA-PCH state 128. 」（１０ページ）
（［当審仮訳］：
[0035]　ＣＥＬＬ＿ＦＡＣＨ状態１２４から，データ非活動がいくつかのネットワーク内で所定の時間にわたって検出された場合，ＵＴＲＡＮは，ＲＲＣ状態をＣＥＬＬ＿ＦＡＣＨ状態１２４からページングチャネル（ＰＣＨ）状態にすることができる。これは，ＣＥＬＬ＿ＰＣＨ状態１２６からＵＲＡ＿ＰＣＨ状態１２８のいずれか一方となり得る。）
　上記（７）〜（９）の記載からも明らかなように，「ネットワークは，ＵＥのアクティビティを検出して，当該アクティビティに基づいて，ＵＴＲＡ  ＲＲＣ接続モード（ＣＥＬＬ＿ＤＣＨ状態，ＣＥＬＬ＿ＦＡＣＨ状態，ＵＲＡ＿ＰＣＨ状態，またはＣＥＬＬ＿ＰＣＨ状態）の状態遷移をＵＥに指示する。」ことは，技術常識ともいえる周知事項である（以下，「周知事項５」という。）。
３　対比・判断
　本願発明と引用発明とを対比すると，
　本願発明の「基地局」，「無線ネットワークコントローラ（RNC：Radio Network Controller）」，「フラクショナル個別物理チャネル（F-DPCH：Fractional Dedicated Physical Control Channel）のタイムスロットフォーマットの構成情報」と，引用発明の「ノードＢ」，「ＣＲＮＣ」，「Ｆ−ＤＰＣＨのタイムスロットフォーマットを示すＦ−ＤＰＣＨ情報ＩＥ」とは，表現が異なるだけであって，差異は無い。
　また，引用発明の「Ｆ−ＤＰＣＨのタイムスロットフォーマットを示すＦ−ＤＰＣＨ情報ＩＥ」は「共通Ｅ−ＤＣＨシステム情報ＩＥ」に含まれるから，引用発明の「前記メッセージには，共通Ｅ−ＤＣＨシステム情報ＩＥとしてＦ−ＤＰＣＨのタイムスロットフォーマットを示すＦ−ＤＰＣＨ情報ＩＥが含まれ，又は，前記メッセージには，共通Ｅ−ＤＣＨシステム情報ＩＥとしてＦ−ＤＰＣＨのタイムスロットフォーマットを示すＦ−ＤＰＣＨ情報ＩＥが含まれず」は，明らかに本願発明の「前記共通E-DCHの構成情報には，フラクショナル個別物理チャネル（F-DPCH：Fractional Dedicated Physical Control Channel）のタイムスロットフォーマットの構成情報が含まれ，又は，前記共通E-DCHの構成情報には，F-DPCHのタイムスロットフォーマットの構成情報が含まれず」に相当する。
　また，引用発明の「共通Ｅ−ＤＣＨシステム情報ＩＥ」の送信を，ＣＲＮＣにより「シグナルを介して送信された」と称することは任意である。
　更に，本願発明と引用発明とは，下記の相違点は別として，「前記基地局が，F-DPCHの所定番目のタイムスロットフォーマットを，F-DPCHを介して情報を送信するためのフォーマットとして使用する」点で共通している。
　したがって，本願発明と引用発明とは，以下の点で一致し，また，相違している。
（一致点）
「基地局が，無線ネットワークコントローラ（RNC：Radio Network Controller）によりシグナルを介して送信された共通拡張個別チャネル（E-DCH：Enhanced Dedicated Channel）の構成情報を受信し，
　前記共通E-DCHの構成情報には，フラクショナル個別物理チャネル（F-DPCH：Fractional Dedicated Physical Control Channel）のタイムスロットフォーマットの構成情報が含まれ，又は，前記共通E-DCHの構成情報には，F-DPCHのタイムスロットフォーマットの構成情報が含まれず，
　前記基地局が，F-DPCHの所定番目のタイムスロットフォーマットを，F-DPCHを介して情報を送信するためのフォーマットとして使用する
　フラクショナル個別物理チャネルのタイムスロットフォーマット確定方法。」
（相違点）
　一致点の「前記基地局が，F-DPCHの所定番目のタイムスロットフォーマットを，F-DPCHを介して情報を送信するためのフォーマットとして使用する」に関し，本願発明は「前記基地局が，セルフォワードアクセスチャネル（CELL_FACH：CELL Forward Access Channel）状態又はアイドル（Idle）モードにあるユーザ装置（UE：User Equipment）が，E-DCHを使用していることを検出する場合，前記基地局が，F-DPCHの０番目のタイムスロットフォーマットを，F-DPCHを介して情報を送信するためのフォーマットとして使用する」のに対し，引用発明は当該構成を有していない点。
　上記相違点について検討する。
　周知技術２のとおり，「Ｆ−ＤＰＣＨスロットフォーマットには3GPP TS25.211にて標準化されているＦ−ＤＰＣＨスロットフォーマット＃０〜＃９が存在するところ，２００９年２月に，ＵＥはＣＥＬＬ＿ＦＡＣＨ状態及びアイドルモードではＦ−ＤＰＣＨスロットフォーマット＃０に従ってＦ−ＤＰＣＨを構成するようにすることが提案され，技術仕様（3GPP TS25.331）にて標準化された。」ことは，周知の技術事項である。
　ここで，ＣＲＮＣとノードＢとの間のインタフェースはＩｕｂインタフェースであり，ノードＢとＵＥとの間のインタフェースはＵｕインタフェースであるところ，これらのインタフェースがそれぞれの間における送受信を適切に行うように設計されるのは当然のことであり，また，周知技術４のとおり，「ＦＤＤでは，共通Ｅ−ＤＣＨリソースはノードＢの制御下にあり，ＣＥＬＬ＿ＦＡＣＨ状態及びアイドルモードのＵＥにより共有される。」ことが周知の技術事項であることに鑑みれば，上記「ＵＥはＣＥＬＬ＿ＦＡＣＨ状態及びアイドルモードではＦ−ＤＰＣＨスロットフォーマット＃０に従ってＦ−ＤＰＣＨを構成するようにする」との事項には，基地局もＵｕインタフェース（ノードＢ−ＵＥ間の通信）においてＣＥＬＬ＿ＦＡＣＨ状態及びアイドルモードのＵＥにはＦ−ＤＰＣＨスロットフォーマット＃０に従ってＦ−ＤＰＣＨを構成することが暗黙的に示唆されていると解するのが自然である。
　そして，周知技術１のとおり，「アップリンクトランスポートチャネルとしてＥ−ＤＣＨを使用すること。」は周知の技術事項であるところ，周知技術５のとおり，「ネットワークは，ＵＥのアクティビティを検出して，当該アクティビティに基づいて，ＵＴＲＡ  ＲＲＣ接続モード（ＣＥＬＬ＿ＤＣＨ状態，ＣＥＬＬ＿ＦＡＣＨ状態，ＵＲＡ＿ＰＣＨ状態，またはＣＥＬＬ＿ＰＣＨ状態）の状態遷移をＵＥに指示する。」ことが技術常識であるから，基地局（ノードＢ）を含むネットワークが，ＵＥのアクティビティである「Ｅ−ＤＣＨを使用していること」を検出してＵＥがどの状態にあるか把握することは普通に行われていることである。
　してみると，引用発明において，ノードＢが，「CELL_FACH状態又はアイドルモードにあるユーザ装置が，E-DCHを使用していることを検出する場合」，ノードＢが，Ｕｕインターフェース（ノードＢ−ＵＥ間の通信）において，当該CELL_FACH状態又はアイドルモードにあるユーザ装置に対して，「F-DPCHの０番目のタイムスロットフォーマットを，F-DPCHを介して情報を送信するためのフォーマットとして使用する」ことは，当業者が容易になし得ることである。
　なお，引用例の記載（上記２（２）参照。）によれば，ＣＥＬＬ＿ＦＡＣＨ状態及びアイドルモードのＵＥのために構成されたＥ−ＤＣＨ用の情報を提供する共通Ｅ−ＤＣＨシステム情報ＩＥ中のＦ−ＤＰＣＨスロットフォーマットＩＥはＦ−ＤＰＣＨスロットフォーマット（０〜９）のいずれかが示されることが見てとれるが，引用例はＵｕインターフェースではなくＩｕｂインタフェースに関するものであり，また，レガシー装置も存在することは容易に予測されるところ，周知事項３のとおり，「Ｆ−ＤＰＣＨ情報の情報エレメントが存在しない場合は，ＵＥはスロットフォーマット＃０を適用することが提案され，技術仕様（3GPP TS25.331）にて標準化された。」ことが周知の技術事項であることにも鑑みれば，引用例の当該記載は，ノードＢがＣＥＬＬ＿ＦＡＣＨ状態及びアイドルモードのＵＥに対してＵｕインターフェース（ノードＢ−ＵＥ間の通信）においてＦ−ＤＰＣＨスロットフォーマット＃０を使用することをなんら阻害するものではない。
４　むすび
　以上のとおり，本願発明は，引用発明及び周知技術に基づいて当業者が容易に発明をすることができたものであるから，特許法第２９条第２項の規定により，特許を受けることができない。
　よって，結論のとおり審決する。